(57)【要約】  本発明は、無線ネットワーク上で効率的に大容量のマルチメディアデータを伝送する方法及び装置を提供する。本発明の一実施形態による無線機器は、無線ネットワークに含まれた機器の可用能力情報を受信して読み取る機器情報読み取り部と、前記機器のうち、前記可用能力情報によってビデオストリームを処理できる第１機器を選択し、オーディオストリームを処理できる第２機器を選択する制御部と、同じコンテンツに関するビデオストリームとオーディオストリームとを生成するストリーム生成部と、前記ビデオストリームを前記第１機器へ伝送し、前記オーディオストリームを第２機器へ伝送する無線送受信部とを備える。
2009540425.tif 000002
【特許請求の範囲】
【請求項１】
無線ネットワークに含まれた機器の可用能力情報を受信して読み取る機器情報読み取り部と、
前記機器のうち、前記可用能力情報によって第１機器及び第２機器を選択する制御部と、
同じコンテンツに関するビデオストリームとオーディオストリームとを生成するストリーム生成部と、
前記ビデオストリームを前記第１機器へ伝送し、前記オーディオストリームを前記第２機器へ伝送する無線送受信部と、を備えることを特徴とする無線機器。
【請求項２】
第１機器は、ビデオストリームを処理できる機器であり、第２機器は、オーディオストリームを処理できる機器であることを特徴とする請求項１に記載の無線機器。
【請求項３】
前記制御部は、前記機器のうち前記可用能力情報によって、ビデオストリーム及びオーディオストリームが多重化されたＡＶストリームを処理できるネットワーク調整子を選択し、
前記無線送受信部は、前記ネットワーク調整子へ前記ＡＶストリームを伝送することを特徴とする請求項１に記載の無線機器。
【請求項４】
前記ネットワーク調整子は、無線ネットワークの開始、維持及び終了を担当することを特徴とする請求項３に記載の無線機器。
【請求項５】
前記可用能力情報は、前記機器それぞれが前記無線ネットワークに参与するときに伝送された情報であることを特徴とする請求項１に記載の無線機器。
【請求項６】
前記可用能力情報は、処理可能なビデオストリームフォーマット、処理可能なオーディオストリームフォーマット、支援される通信方式のうち少なくとも一つを含むことを特徴とする請求項１に記載の無線機器。
【請求項７】
前記生成されたビデオストリームと前記生成されたオーディオストリームとの間のシンクを合わせるための時間情報を前記ビデオストリーム及び前記オーディオストリームに挿入する時間情報記録部をさらに備えることを特徴とする請求項１に記載の無線機器。
【請求項８】
前記時間情報は、表示時間スタンプ及びデコーディング時間スタンプのうち少なくとも一つとプログラムクロックレファレンスとを含むことを特徴とする請求項７に記載の無線機器。
【請求項９】
前記表示時間スタンプ、デコーディング時間スタンプは、前記ビデオストリームまたはオーディオストリームにフレーム単位で記録され、前記プログラムクロックレファレンスは、前記ビデオストリームまたはオーディオストリームに不定期的フレーム間隔で記録されることを特徴とする請求項８に記載の無線機器。
【請求項１０】
前記無線送受信部は、ミリメートルウェーブ通信を担当し、前記ビデオストリームは、無圧縮のビデオデータであることを特徴とする請求項１に記載の無線機器。
【請求項１１】
無線ネットワークに含まれた機器に可用能力情報を提供する機器情報保存部と、
前記可用能力情報によって、前記機器のうちソース機器からビデオストリーム及びオーディオストリームのうち一つのストリームを受信する無線送受信部と、
前記受信されたビデオストリームまたはオーディオストリームに含まれた時間情報を読み取る時間情報読み取り部と、
前記読み取られた時間情報が表す時間に、前記受信されたビデオストリームまたはオーディオストリームに含まれたビデオまたはオーディオを再生するメディア再生部と、を備えることを特徴とする無線機器。
【請求項１２】
前記再生されたビデオまたはオーディオをユーザーに出力する出力部をさらに備えることを特徴とする請求項１１に記載の無線機器。
【請求項１３】
前記可用能力情報は、前記無線機器が前記無線ネットワークに参与するときに提供されることを特徴とする請求項１１に記載の無線機器。
【請求項１４】
前記可用能力情報は、処理可能なビデオストリームフォーマット、処理可能なオーディオストリームフォーマット、支援される通信方式のうち少なくとも一つを含むことを特徴とする請求項１１に記載の無線機器。
【請求項１５】
前記時間情報は、表示時間スタンプ及びデコーディング時間スタンプのうち少なくとも一つとプログラムクロックレファレンスとを含むことを特徴とする請求項１１に記載の無線機器。
【請求項１６】
前記表示時間スタンプ、デコーディング時間スタンプは、前記受信されたビデオストリームまたはオーディオストリームにフレーム単位で記録され、前記プログラムクロックレファレンスは、前記受信されたビデオストリームまたはオーディオストリームに不定期的フレーム間隔で記録されることを特徴とする請求項１５に記載の無線機器。
【請求項１７】
メディア再生部は、前記プログラムクロックレファレンスによってシステム時間クロックを補正することを特徴とする請求項１６に記載の無線機器。
【請求項１８】
前記無線送受信部は、ミリメートルウェーブ通信を担当し、前記受信されたストリームは、無圧縮のビデオデータであることを特徴とする請求項１１に記載の無線機器。
【請求項１９】
無線ネットワークに含まれた機器から可用能力情報を収集する機器情報収集部と、
前記可用能力情報によって、前記機器のうちソース機器からビデオストリーム及びオーディオストリームが多重化されたオーディオ及びビデオ（ＡＶ）ストリームを受信する無線送受信部と、
前記受信されたＡＶストリームを逆多重化してビデオストリーム及びオーディオストリームに分離し、前記分離されたビデオストリーム及びオーディオストリームそれぞれを再生するメディア再生部と、
前記再生されたビデオストリームをユーザーに出力する映像出力部と、
前記再生されたオーディオストリームを、ケーブルを通じて再伝送する音響再伝送部と、を備えることを特徴とする無線機器。
【請求項２０】
無線ネットワークの開始、維持及び終了を担当するネットワーク管理部をさらに備えることを特徴とする請求項１９に記載の無線機器。
【請求項２１】
前記音響再伝送部は、外部音響端子であり、前記再伝送されるオーディオストリームは、アナログ信号であることを特徴とする請求項１９に記載の無線機器。
【請求項２２】
無線ネットワークに含まれた機器の可用能力情報を受信して読み取るステップと、
前記機器のうち、前記可用能力情報によって第１機器及び第２機器を選択するステップと、
同じコンテンツに関するビデオストリームとオーディオストリームとを生成するステップと、
前記ビデオストリームを前記第１機器へ伝送し、前記オーディオストリームを前記第２機器へ伝送するステップと、を含むことを特徴とするマルチメディアデータの伝送方法。
【請求項２３】
第１機器は、ビデオストリームを処理できる機器であり、第２機器は、オーディオストリームを処理できる機器であることを特徴とする請求項２２に記載のマルチメディアデータの伝送方法。
【請求項２４】
無線ネットワークに含まれた機器に可用能力情報を提供するステップと、
前記可用能力情報によって、前記機器のうちソース機器からビデオストリーム及びオーディオストリームのうち一つのストリームを受信するステップと、
前記受信されたビデオストリームまたはオーディオストリームに含まれた時間情報を読み取るステップと、
前記読み取られた時間情報が表す時間に、前記受信されたビデオストリームまたはオーディオストリームに含まれたビデオまたはオーディオを再生するステップと、を含むことを特徴とするマルチメディアデータの再生方法。
【請求項２５】
無線ネットワークに含まれた機器から可用能力情報を収集するステップと、
前記可用能力情報によって、前記機器のうちソース機器からビデオストリーム及びオーディオストリームが多重化されたオーディオ及びビデオ（ＡＶ）ストリームを受信するステップと、
前記受信されたＡＶストリームを逆多重化してビデオストリーム及びオーディオストリームに分離し、前記分離されたビデオストリーム及びオーディオストリームそれぞれを再生するステップと、
前記再生されたビデオストリームをユーザーに出力するステップと、
前記再生されたオーディオストリームを、ケーブルを通じて再伝送するステップと、を含むことを特徴とするマルチメディアデータの再生方法。
【請求項２６】
ネットワークに接続された機器の可用能力情報を受信して読み取る機器情報読み取り部と、
前記機器のうち、前記可用能力情報によって少なくとも一つのシンク機器を選択する制御部と、
前記選択されたシンク機器へビデオストリームまたはオーディオストリームを伝送する送受信部と、を備えることを特徴とする無線機器。
【請求項２７】
前記少なくとも一つのシンク機器のうち第１シンク機器は、前記ビデオストリームを受信し、前記少なくとも一つのシンク機器のうち第２シンク機器は、前記オーディオストリームを受信することを特徴とする請求項２６に記載の無線機器。
【請求項２８】
前記少なくとも一つのシンク機器のうち第１シンク機器は、前記ビデオストリーム及び前記オーディオストリームを受信し、前記少なくとも一つのシンク機器のうち第２シンク機器は、前記オーディオストリームを受信することを特徴とする請求項２６に記載の無線機器。
【請求項２９】
前記第１シンク機器は、前記オーディオストリームを処理して、前記処理されたオーディオストリームを、有線ケーブルを通じて別途の音響機器に出力することを特徴とする請求項２８に記載の無線機器。
【請求項３０】
ネットワークに接続された機器の可用能力情報を受信して読み取るステップと、
前記機器のうち、前記可用能力情報によって少なくとも一つのシンク機器を選択するステップと、
前記選択されたシンク機器へビデオストリームまたはオーディオストリームを伝送するステップと、を含むことを特徴とするマルチメディアデータの伝送方法。
【請求項３１】
無線ネットワークに含まれた機器の可用能力情報を受信して読み取るステップと、
前記機器のうち、前記可用能力情報によって第１機器及び第２機器を選択するステップと、
同じコンテンツに関するビデオストリームとオーディオストリームとを生成するステップと、
前記ビデオストリームを前記第１機器へ伝送し、前記オーディオストリームを前記第２機器へ伝送するステップと、を含むことを特徴とするマルチメディアデータの伝送方法をコンピュータで実行させるためのプログラムを記録したコンピュータで読取り可能な記録媒体。
【請求項３２】
無線ネットワークに含まれた機器に可用能力情報を提供するステップと、
前記可用能力情報によって、前記機器のうちソース機器からビデオストリーム及びオーディオストリームのうち一つのストリームを受信するステップと、
前記受信されたビデオストリームまたはオーディオストリームに含まれた時間情報を読み取るステップと、
前記読み取られた時間情報が表す時間に、前記受信されたビデオストリームまたはオーディオストリームに含まれたビデオまたはオーディオを再生するステップと、を含むことを特徴とするマルチメディアデータの再生方法をコンピュータで実行させるためのプログラムを記録したコンピュータで読取り可能な記録媒体。
【請求項３３】
無線ネットワークに含まれた機器から可用能力情報を収集するステップと、
前記可用能力情報によって、前記機器のうちソース機器からビデオストリーム及びオーディオストリームが多重化されたオーディオ及びビデオ（ＡＶ）ストリームを受信するステップと、
前記受信されたＡＶストリームを逆多重化してビデオストリーム及びオーディオストリームに分離し、前記分離されたビデオストリーム及びオーディオストリームそれぞれを再生するステップと、
前記再生されたビデオストリームをユーザーに出力するステップと、
前記再生されたオーディオストリームを、ケーブルを通じて再伝送するステップと、を含むことを特徴とするマルチメディアデータの再生方法をコンピュータで実行させるためのプログラムを記録したコンピュータで読取り可能な記録媒体。
【請求項３４】
ネットワークに接続された機器の可用能力情報を受信して読み取るステップと、
前記機器のうち、前記可用能力情報によって少なくとも一つのシンク機器を選択するステップと、
前記選択されたシンク機器へビデオストリームまたはオーディオストリームを伝送するステップと、を含むことを特徴とするマルチメディアデータの伝送方法をコンピュータで実行させるためのプログラムを記録したコンピュータで読取り可能な記録媒体。
【発明の詳細な説明】
【技術分野】
【０００１】
本発明による方法及び装置は、無線通信技術に係り、特に無線ネットワーク上で効率的に大容量のマルチメディアデータを伝送する方法及び装置に関する。
【背景技術】
【０００２】
ネットワークが無線化され、大容量のマルチメディアデータの伝送要求の増大により、無線ネットワーク環境での効果的な伝送法についての研究が要求されている。さらに、ＤＶＤ（Ｄｉｇｉｔａｌ  Ｖｅｒｓａｔｉｌｅ  Ｄｉｓｋ）映像、ＨＤＴＶ（Ｈｉｇｈ  Ｄｅｆｉｎｉｔｉｏｎ  Ｔｅｌｅｖｉｓｉｏｎ）映像など高品位のビデオを多様なホームデバイス間に無線で伝送する必要性が高くなる勢いである。  
現在、ＩＥＥＥ  ８０２．１５．３ｃの一つのタスクグループでは、無線ホームネットワークで大容量のデータを伝送するための技術標準を推進しつつある。いわゆる、ｍｍＷａｖｅ（Ｍｉｌｌｉｍｅｔｅｒ  Ｗａｖｅ）と呼ばれるこの標準は、大容量のデータ伝送のために物理的な波長がミリメートルである電波、すなわち３０ＧＨｚないし３００ＧＨｚの周波数を有する電波を利用する。従来には、かかる周波数帯は、不許可バンドであって、通信事業者用や電波天文用または車両衝突防止などの用途に制限的に使われてきた。
【０００３】
図１は、ＩＥＥＥ  ８０２．１１系の標準とｍｍＷａｖｅとの周波数帯域を比較する図である。ＩＥＥＥ  ８０２．１１ｂやＩＥＥＥ  ８０２．１１ｇは、搬送波周波数が２．４ＧＨｚであり、チャンネル帯域幅が約２０ＭＨｚである。また、ＩＥＥＥ  ８０２．１１ａやＩＥＥＥ  ８０２．１１ｎは、搬送波周波数が５ＧＨｚであり、チャンネル帯域幅は同様に約２０ＭＨｚである。これに対し、ｍｍＷａｖｅは、６０ＧＨｚの搬送波周波数を使用し、約０．５ないし２．５ＧＨｚのチャンネル帯域幅を有する。したがって、ｍｍＷａｖｅは、既存のＩＥＥＥ  ８０２．１１系の標準に比べてはるかに大きい搬送波周波数及びチャンネル帯域幅を有するということが分かる。
【０００４】
このように、ミリメートル単位の波長を有する高周波信号（ｍｍＷａｖｅ）を利用すれば、数Ｇｂｐｓ単位の非常に高い伝送率を表すことができ、アンテナのサイズを１．５ｍｍ以下にするので、アンテナを含む単一チップを具現できる。また、空気中の減衰率が非常に高いため、機器間の干渉を低下させるという長所もある。
【０００５】
一方、前記のような高い減衰率によって通達距離が短く、信号の直進性が高いため、陰影地域環境では通信が正常に行われがたいという問題がある。これにより、ｍｍＷａｖｅでは、前者の問題は、高い利得を有する配列アンテナを利用することによって、後者の問題は、ビームステアリング方式を使用することによって解決している。
【０００６】
最近には、家庭、事務室内の環境で、既存のＩＥＥＥ  ８０２．１１系の数ＧＨｚ帯域を使用して圧縮データを伝送する技術からさらに前進して、数十ＧＨｚ帯域の高周波帯域でかかるｍｍＷａｖｅを利用して非圧縮データを伝送する方式が導入されている。
【０００７】
非圧縮オーディオ及びビデオ（ＡＶ）データは、圧縮されていない大容量のデータであるので、数十ＧＨｚ帯域の高周波帯域でのみ伝送可能であり、圧縮データに比べてパケット損失があるとしても相対的にディスプレイにおいて大きい影響を及ぼさない。したがって、ＡＲＱ（Ａｕｔｏｍａｔｉｃ  Ｒｅｐｅａｔ  Ｒｅｑｕｅｓｔ）や再伝送を行わなくてもよい。
【０００８】
図２は、従来の無線ホームネットワークでソース機器２１とシンク機器２２との間にマルチメディアストリームを伝送する方式を示す図である。図１において、ソース機器２１は、シンク機器２２に多重化されたＡＶストリームを伝送する。ソース機器２１は、セットトップボックス、ＤＶＤプレーヤー、ＰＭＰ（Ｐｏｒｔａｂｌｅ  Ｍｕｌｔｉｍｅｄｉａ  Ｐｌａｙｅｒ）などマルチメディアソースからＡＶストリームを生成して無線で伝送できる機器を意味し、シンク機器２２は、ビームプロジェクタ、ＴＶ、モニタ、ＡＶレシーバーなど前記ＡＶストリームを受信されて、ユーザーが視覚または聴覚により認知できる形態に出力する機器を意味する。ここで、ソース機器２１及びシンク機器２２は、共に無線ネットワークインターフェースを備え、無線ネットワークの観点で、ソース機器は送信機器として、シンク機器は受信機器として動作する。
【０００９】
非圧縮ビデオデータ（例えば、画素を構成するＲＧＢやＹＵＶ成分をデジタル値で表示したデータ）のような大容量のマルチメディアの伝送のためには、広い帯域幅が要求される。しかし、シンク機器２２がビデオストリームのみを処理できるか、またはオーディオストリームのみを処理できることにもかかわらず、ソース機器２１がビデオデータ及びオーディオデータをいずれも含むＡＶストリームを伝送するならば、前記帯域幅を浪費する結果となる。したがって、ソース機器２１は、シンク機器の可用能力によって適応的にビデオストリーム、オーディオストリームまたはＡＶストリームを伝送する必要がある。
【発明の開示】
【発明が解決しようとする課題】
【００１０】
本発明が解決しようとする課題は、数十ＧＨｚ帯域の高周波無線通信で、多様なシンク機器に大容量のマルチメディアデータを効率的に伝送する方法及び装置を提供するところにある。
【課題を解決するための手段】
【００１１】
前記課題を解決するために、本発明の一実施形態による無線機器は、無線ネットワークに含まれた機器の可用能力情報を受信して読み取る機器情報読み取り部と、前記機器のうち、前記可用能力情報によってビデオストリームを処理できる第１機器を選択し、オーディオストリームを処理できる第２機器を選択する制御部と、同じコンテンツに関するビデオストリームとオーディオストリームとを生成するストリーム生成部と、前記ビデオストリームを前記第１機器へ伝送し、前記オーディオストリームを第２機器へ伝送する送受信部とを備える。
【００１２】
前記課題を解決するために、本発明の他の実施形態による無線機器は、無線ネットワークに含まれた機器に可用能力情報を提供する機器情報保存部と、前記可用能力情報によって、前記機器のうちソース機器からビデオストリーム及びオーディオストリームのうち一つのストリームを受信する無線送受信部と、前記受信されたストリームに含まれた時間情報を読み取る時間情報読み取り部と、前記読み取られた時間情報が表す時間に、前記受信されたストリームに含まれたビデオまたはオーディオを再生するメディア再生部とを備える。
【００１３】
前記課題を解決するために、本発明のさらに他の実施形態による無線機器は、無線ネットワークに含まれた機器から可用能力情報を収集する機器情報収集部と、前記可用能力情報によって、前記機器のうちソース機器からビデオストリーム及びオーディオストリームが多重化されたＡＶストリームを受信する無線送受信部と、前記受信されたＡＶストリームを逆多重化してビデオストリーム及びオーディオストリームに分離し、前記分離されたビデオストリーム及びオーディオストリームそれぞれを再生するメディア再生部と、前記再生されたビデオストリームをユーザーに出力する映像出力部と、前記再生されたオーディオストリームを、ケーブルを通じて再伝送する音響再伝送部とを備える。
【００１４】
前記課題を解決するために、本発明のさらに他の実施形態によるマルチメディアデータの伝送方法は、無線ネットワークに含まれた機器の可用能力情報を受信して読み取るステップと、前記機器のうち、前記可用能力情報によってビデオストリームを処理できる第１機器を選択するステップと、前記機器のうち、前記可用能力情報によってオーディオストリームを処理できる第２機器を選択するステップと、同じコンテンツに関するビデオストリームとオーディオストリームとを生成するステップと、前記ビデオストリームを前記第１機器へ伝送し、前記オーディオストリームを第２機器へ伝送するステップとを含む。
【００１５】
前記課題を解決するために、本発明のさらに他の実施形態によるマルチメディアデータの伝送方法は、無線ネットワークに含まれた機器に可用能力情報を提供するステップと、前記可用能力情報によって、前記機器のうちソース機器からビデオストリーム及びオーディオストリームのうち一つのストリームを受信するステップと、前記受信されたストリームに含まれた時間情報を読み取るステップと、前記読み取られた時間情報が表す時間に、前記受信されたストリームに含まれたビデオまたはオーディオを再生するステップとを含む。
【００１６】
前記課題を解決するために、本発明のさらに他の実施形態によるマルチメディアデータの伝送方法は、無線ネットワークに含まれた機器から可用能力情報を収集するステップと、前記可用能力情報によって、前記機器のうちソース機器からビデオストリーム及びオーディオストリームが多重化されたＡＶストリームを受信するステップと、前記受信されたＡＶストリームを逆多重化してビデオストリーム及びオーディオストリームに分離し、前記分離されたビデオストリーム及びオーディオストリームそれぞれを再生するステップと、前記再生されたビデオストリームをユーザーに出力するステップと、前記再生されたオーディオストリームを、ケーブルを通じて再伝送するステップとを含む。
【発明を実施するための最良の形態】
【００１７】
本発明と、本発明の動作上の利点及び本発明の実施によって達成される目的を十分に理解するためには、本発明の望ましい実施形態を例示する添付図面及び添付図面に記載された内容を参照せねばならない。
【００１８】
以下、添付された図面を参照して本発明の望ましい実施形態を説明することにより、本発明を詳細に説明する。各図面に提示された同じ参照符号は同じ部材を示す。
【００１９】
図３は、本発明の一実施形態による大容量のマルチメディア伝送システムの概念図である。
【００２０】
ソース機器１００は、シンク機器の可用能力によってビデオストリームまたはオーディオストリームをシンク機器へ選択的に伝送する。第１シンク機器２００ａがモニタ、ビームプロジェクタ、ＰＤＰ（Ｐｌａｓｍａ  Ｄｉｓｐｌａｙ  Ｐａｎｅｌ）などビデオストリームのみを処理できる機器であれば、ソース機器１００は、第１シンク機器２００ａへビデオストリームのみを伝送する。また、第２シンク機器２００ｂがＡＶレシーバー、ＭＰ３デコーダのようにオーディオストリームのみを処理できる機器であれば、ソース機器１００は、第２シンク機器２００ｂへオーディオストリームを伝送する。
【００２１】
この場合、同じコンテンツをなすビデオストリームとオーディオストリームとを正常に再生するためには、両者間の同期化が必要であるが、かかる同期化を解決する方法は、図６を参照して後述する。
【００２２】
このように、ソース機器が伝送するストリームの種類を選択するためには、シンク機器の可用能力を知らねばならない。ソース機器とシンク機器とは、無線ネットワークを構成する無線機器であるので、それぞれの機器が無線ネットワークに参与するときに自身の可用能力を他の無線機器に知らせる。
【００２３】
図４は、無線機器が他の無線機器に機器情報を伝達する過程を示す図である。図４に示すように、第１機器４１及び第２機器４２からなる無線ネットワーク４０が存在するとき、第３機器４３が無線ネットワーク４０に参与する場合には、第３機器４３は、他の機器４１，４２に自身の可用能力情報を通知する。かかる可用能力情報の通知は、無線ネットワーク４０がアクセスポイント中心のインフラストラクチャーネットワーク構造（例えば、ＩＥＥＥ  ８０２．１１系列標準）であってもよく、またはＰＮＣ（Ｐｉｃｏｎｅｔ  Ｃｏｏｒｄｉｎａｔｏｒ）中心のアドホックネットワーク構造（例えば、ＩＥＥＥ  ８０２．１５．３標準）であってもよい。とにかく、第３機器４３が無線ネットワーク４０に参与すれば、他の機器４１，４２へ直接的または媒介装置を通じて間接的に可用能力情報を伝送する。
【００２４】
前記可用能力情報には、第３機器４３の機器モデル名、製造者情報、支援される通信方式（変調方式、伝送率など）、処理可能なビデオストリームフォーマット、処理可能なオーディオストリームフォーマットなど多様な情報が含まれる。ソース機器は、前記可用能力情報を通じてシンク機器がビデオストリームまたはオーディオストリームを処理できるか否かを判断できる。
【００２５】
図５は、本発明の他の実施形態による大容量のマルチメディア伝送システムの概念図である。図５に示すように、ネットワーク調整子３００は、ＴＶのようにオーディオ及びビデオをいずれも処理でき、ＩＥＥＥ  ８０２．１５．３のＰＮＣと同様にネットワークを開始、維持、終了及び管理する機器である。有線機器２５０は、ネットワーク調整子３００の外部端子とケーブルで連結されて、ネットワーク調整子３００から提供された音響をユーザーに出力する。有線機器２５０は、スピーカまたはアンプ及びスピーカの組み合わせでありうる。シンク機器２００は、音響のみを担う機器であって、ソース機器１００からオーディオストリームのみを受信する。ユーザーは、シンク機器２００及び有線機器２５０のどちらか一つを選択して音響を出力するようにする。
【００２６】
ネットワーク調整子３００は、少なくとも一つ以上のソース機器１００と、少なくとも一つ以上のシンク機器２００とを備えるネットワーク構成（参与などの過程）の当時に各機器の可用能力情報を提供される。ネットワーク調整子３００は、提供された可用能力情報を、ネットワークを構成する他のソース機器１００及びシンク機器２００に伝達する。ソース機器１００は、マルチメディアの伝送時、受信機器がシンク機器２００である場合には、ビデオストリームまたはオーディオストリームのみを選択的に伝送し、受信機器がネットワーク調整子３００である場合には、ＡＶストリームを伝送する。このとき、ソース機器１００は、前記受信機器の可用能力が高速伝送データを処理できない場合、圧縮されたビデオストリームまたは圧縮されたオーディオストリームを伝送することもできる。
【００２７】
本発明の一実施形態によるソース機器は、図３及び図５のように受信機器の可用能力によって、ビデオストリーム、オーディオストリームまたはＡＶストリームを選択的に伝送する。しかし、同じコンテンツに関するビデオストリーム及びオーディオストリームをそれぞれ異なる受信機器が担う場合、ビデオ及びオーディオ間のシンクを合わせる作業が必要である。
【００２８】
図６は、本発明の一実施形態によってソース機器がストリームを伝送するとき、シンクを合わせるために前記ストリームに付加される情報を示す。
【００２９】
ビデオストリームは、単独で復号化可能なＩ（ｉｎｔｒａ−ｃｏｄｅｄ）フレームと、自身よりも時間的に以前のＩフレームやＰ（ｐｒｅｄｉｃｔｉｖｅ−ｃｏｄｅｄ）フレームから復号化可能なＰフレームと、時間的に前後に存在するＩフレームまたはＰフレームから復号化可能なＢ（ｂｉ−ｄｉｒｅｃｔｉｏｎａｌ  ｐｒｅｄｉｃｔｉｖｅ−ｃｏｄｅｄ）フレームなどで構成される。
【００３０】
このように、ビデオストリームは、かかるフレームを所定の順序で配置し、再生時には、かかるフレームが各フレームの特性によって復号化され、所定の順序で表示される。ビデオストリームは、図６に表示されるように、一つのフレームごとにそれぞれのフレームが復号化されるタイミングを表すＤＴＳ（Ｄｅｃｏｄｉｎｇ  ＴｉｍｅＳｔａｍｐ）、及び再生されるタイミングを表すＰＴＳ（ＰｒｅｓｅｎｔａｔｉｏｎＴｉｍｅ  Ｓｔａｍｐ）が設定される。
【００３１】
ＤＴＳ及びＰＴＳのタイミングは、ソース機器に設置されたＳＴＣ（ＳｙｓｔｅｍＴｉｍｅ  Ｃｌｏｃｋ）により発生した基準時刻に対応する。ＳＴＣは、実際には約２６時間で循環するカウンタ値であり、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式の画像データを記録した場合、フレーム間のカウンタ値の差が３００３（ＰＡＬ（Ｐｈａｓｅ  Ａｌｔｅｒｎａｔｉｎｇ  Ｌｉｎｅ）方式の場合、３６００）である。
【００３２】
これにより、図６のように、最初のフレームのヘッダにＤＴＳ（ｎ）（ｎは、ＳＴＣのカウンタ値）が設定されれば、次のＤＴＳは、ｎ＋３００３となり、以後で連続的に復号化されるタイミングとしてＤＴＳがｎ＋６００６，ｎ＋９００９，ｎ＋１２０１２，ｎ＋１５０１５に設定されている。
【００３３】
一方、ＰＴＳは、ＤＴＳに基づいて設定されるが、フレームの種類によってその設定が変わりうる。例えば、ＩフレームとＰフレームとの周期が３フレームである場合（ＩフレームまたはＰフレームの間に連続的に挿入されたＢフレームが二つであって、ＩフレームやＰフレームが三つのフレームごとに表れる場合）、ＩフレームやＰフレームにおいて、ＰＴＳは、ＤＴＳに対して三つのフレーム部分の値が加算された値となる。
【００３４】
以下の説明においては、ＤＴＳとＰＴＳとをいずれも使用した場合に関して説明したものとするが、実際にＢフレームにおいては、ＤＴＳとＰＴＳとが同一に表れるので、ＰＴＳのみがストリームに記録される。また、ストリームでＢフレームが存在しない場合、Ｉフレームは、単独の復号化が可能であり、Ｐフレームが復号化される時に必要なＩフレームまたはＰフレームは既に存在するため、この場合にもＰＴＳのみがストリームに記録される。
【００３５】
一方、ストリームには、基準時刻であるＳＴＣとストリームデータとの対応関係を表す情報としてＰＣＲ（Ｐｒｏｇｒａｍ  Ｃｌｏｃｋ  Ｒｅｆｅｒｅｎｃｅ）が記録される。すなわち、ＤＴＳとＰＴＳとは、ソース機器のＳＴＣの値であるので、シンク機器でのＳＴＣと一致しないため、ストリームデータのフレームに対して不定期的な間隔でソース機器側のＳＴＣを補正するためにＰＣＲが記録されることである。
【００３６】
例えば、図６において、ＰＣＲが左側から二番目及び五番目のフレームに記録されているため（それぞれＰＣＲｘ，ＰＣＲｘ＋１）、それぞれのフレームが処理されるとき、シンク機器は、この情報を読み取って左側から二番目のフレームを処理した時刻が時刻ｔ１であることを認識し、その時点で自身のＳＴＣを補正する。また、シンク機器は、左側から五番目のフレームに含まれたＰＣＲｘ＋１の情報に基づいて、前記五番目のフレームを処理した時刻が時刻ｔ２であることを認識し、自身のＳＴＣを補正しつつストリームを再生する。
【００３７】
一方、オーディオストリームも、その符号化及び復号化方式では、ビデオストリームと多少差がありうるが、複数のオーディオフレームで構成されるという側面では、ビデオストリームと同様である。以下、図６でストリームは、ビデオストリームまたはオーディオストリームを包括し、フレームは、ビデオフレームまたはオーディオフレームを包括するものと考えられる。
【００３８】
以上のように、ソース機器は、ビデオストリームを構成するビデオフレーム及びオーディオストリームを構成するオーディオフレームに対して、ＤＴＳ、ＰＴＳ及びＰＣＲを記録して伝送することによって、シンク機器またはネットワーク調整子がビデオストリームやオーディオストリームのみを受信するか、またはＡＶストリームを受信した場合にも、再生時にシンクを適切に合わせることができる。
【００３９】
以下、本発明における無線機器は、ソース機器、シンク機器及びネットワーク調整子を通称する。前記無線機器は、ｍｍＷａｖｅ通信を担う送受信部を備える。
【００４０】
図７は、本発明の一実施形態によるソース機器１００の構成を示す図である。ソース機器１００は、無線ネットワークに含まれた機器の可用能力情報を受信して読み取る機器情報読み取り部１９５と、前記機器のうち、前記可用能力情報によってビデオストリームを処理できる第１機器を選択し、オーディオストリームを処理できる第２機器を選択する制御部１１０と、同じコンテンツに関するビデオストリームとオーディオストリームとを生成するストリーム生成部１８０と、前記ビデオストリームを前記第１機器へ伝送し、前記オーディオストリームを第２機器へ伝送する送受信部１５０と、を備え、ＳＴＣ  １３５、時間情報記録部１６０、メディア保存部１７０及びバッファ１９０をさらに備える。
【００４１】
前記可用能力情報は、該機器が前記無線ネットワークに参与する時に伝送され、処理可能なビデオストリームフォーマット、処理可能なオーディオストリームフォーマット、支援される通信方式などを含む。
【００４２】
制御部１１０は、バス１３０に連結されている他の構成要素を制御する。また、制御部１１０は、無線ネットワーク上の機器の可用能力情報によって、ビデオストリーム及びオーディオストリームが多重化されたＡＶストリームを処理できるネットワーク調整子を選択することもでき、この場合、送受信部１５０は、ネットワーク調整子へ前記ＡＶストリームを伝送する。
【００４３】
前記ネットワーク調整子は、無線ネットワークの開始、維持及び終了を担う無線機器であって、ＡＶストリームを受信して処理できる機器である。
【００４４】
メディア保存部１７０は、外部から受信されたマルチメディアデータまたは記録媒体に保存されて提供されるマルチメディアデータを保存し、それをストリーム生成部１８０に提供する。
【００４５】
ストリーム生成部１８０は、前記提供されたマルチメディアデータからビデオストリーム及びオーディオストリームをそれぞれ生成する。もし、前記マルチメディアデータがビデオ及びオーディオが多重化されたデータであれば、それを逆多重化する。
【００４６】
時間情報記録部１６０は、前記生成されたビデオ及びオーディオ間のシンクを合わせるための時間情報を、前記生成されたビデオストリーム及び前記オーディオストリームに挿入する。前記時間情報は、ＰＴＳ、ＤＴＳのうち少なくとも一つ及びＰＣＲを含むが、前記時間情報は、ＳＴＣ  １３５により提供されたカウンタ値で表示される。
【００４７】
このとき、前記ＰＴＳ及びＤＴＳは、前記ビデオストリームまたはオーディオストリームにフレーム単位で記録され、前記ＰＣＲは、前記ビデオストリームまたはオーディオストリームに不定期的なフレーム間隔で記録される。
【００４８】
バッファ１９０は、伝送されたビデオまたはオーディオストリームを一時保存していて送受信部１５０に提供する。バッファ１９０は、フラッシュメモリのような不揮発性メモリ素子またはＲＡＭ（Ｒａｎｄｏｍ  Ａｃｃｅｓｓ  Ｍｅｍｏｒｙ）のような揮発性メモリ素子、ハードディスク、光ディスクのような記録媒体、またはその他の該当分野で知られている任意の他の形態で具現される。
【００４９】
ＭＡＣ（Ｍｅｄｉｕｍ  Ａｃｃｅｓｓ  Ｃｏｎｔｒｏｌ）ユニット１４０は、バッファ１９０からストリームデータにＭＡＣヘッダを付加してＭＰＤＵ（ＭＡＣ  Ｐｒｏｔｏｃｏｌ  Ｄａｔａ  Ｕｎｉｔ）を生成して、ＲＦ（Ｒａｄｉｏ  Ｆｒｅｑｕｅｎｃｙ）ユニット１５２を通じて伝送する。ＲＦユニット１５０は、基底帯域信号を処理して無線信号を生成し、アンテナ１５３を通じて空中に伝送する。
【００５０】
図８は、本発明の一実施形態によるシンク機器２００の構成を示す図である。
【００５１】
シンク機器２００は、無線ネットワークに含まれた機器に可用能力情報を提供する機器情報保存部２９５と、前記可用能力情報によって、前記機器のうちソース機器からビデオストリーム及びオーディオストリームのうち一つのストリームを受信する送受信部２５０と、前記受信されたストリームに含まれた時間情報を読み取る時間情報読み取り部２６０と、前記読み取られた時間情報が表す時間に、前記受信されたストリームに含まれたビデオまたはオーディオを再生するメディア再生部２８０とを備える。
【００５２】
前記可用能力情報は、シンク機器２００が前記無線ネットワークに参与するとき、他の機器に直接的またはネットワーク調整子を通じて間接的に提供される。前記可用能力情報には、処理可能なビデオストリームフォーマット、処理可能なオーディオストリームフォーマット、または支援される通信方式などを含む。
【００５３】
前記時間情報は、ＰＴＳ及びＤＴＳのうち少なくとも一つとＰＣＲとを含み、前記ＰＴＳ及びＤＴＳは、受信されたストリームにフレーム単位で記録され、前記ＰＣＲは、前記受信されたストリームに不定期的なフレーム間隔で記録される。
【００５４】
一方、シンク機器２００は、また、制御部２１０、ＳＴＣ  ２３５、出力部２８５及びバッファ２９０をさらに備える。
【００５５】
制御部２１０は、バス２３０に連結されている他の構成要素を制御する。ＳＴＣ  ２３５は、シンク機器２００の内部のローカル時間をカウンタ値で表示する。ＳＴＣ２３５のカウンタ値は、ソース機器１００のＳＴＣ  １３５と異なりうるので、メディア再生部２８０は、時間情報読み取り部２６０により読み取られたＰＣＲによってシステム時間クロックを随時補正し、これにより、ＳＴＣ  １３５及びＳＴＣ  ２３５は、カウンタ値が同一に維持される。
【００５６】
送受信部２５０は、基本的に送受信部１５０と同様な構成を有する。ただし、受信ステップでの送受信部２５０は、アンテナ２５３を通じて無線信号を受信し、ＲＦユニット２５２により受信された無線信号を復調してデジタルデータを復元し、ＭＡＣユニット２４０により前記復元されたデジタルデータのＭＡＣヘッダを除去する。前記ＭＡＣヘッダが除去されたデジタルデータは、オーディオストリームまたはビデオストリームを意味する。
【００５７】
バッファ２９０は、送受信部２５０から提供されるビデオストリームまたはオーディオストリームを一時保存していてメディア再生部２８０に提供する。
【００５８】
メディア再生部２８０は、ビデオストリームまたはオーディオストリームを再生するために、ＭＰＥＧ−１，ＭＰＥＧ−２，ＭＰＥＧ−４，Ｈ．２６４，ＷＭＶ（Ｗｉｎｄｏｗｓ（登録商標）Ｍｅｄｉａ  Ｖｉｄｅｏ）などのビデオコデックまたはＭＰ３，ＡＣ３，ＷＭＡ（Ｗｉｎｄｏｗｓ（登録商標）Ｍｅｄｉａ  Ａｕｄｉｏ）などのオーディオコデックを備える。
【００５９】
出力部２８５は、メディア再生部２８０により再生されたビデオまたはオーディオをユーザーに出力する。したがって、出力部２８５は、視覚的ディスプレイ装置またはアンプ及びスピーカの組み合わせで具現される。
【００６０】
図９は、本発明の一実施形態によるネットワーク調整子３００の構成を示す図である。ネットワーク調整子３００の構成は、基本的にはシンク機器２００と類似している。しかし、ネットワークの開始、維持及び終了を管理するためのネットワーク管理部３７５と、他の機器が提供する機器情報を収集するための機器情報収集部３９５と、ケーブルを通じて他の有線機器（アンプ、スピーカなど）に音響を再伝送するための音響再伝送部３７０と、をさらに備えるという点で多少差がある。したがって、ネットワーク調整子３００は、オーディオストリームとビデオストリームとが多重化されたＡＶストリームを図７のソース機器１００から受信して、再生された音響はケーブルを通じて前記有線機器に再伝送する。ネットワーク調整子３００は、例えば、無線ネットワークを備えたデジタルＴＶで具現され、ネットワーク管理部３７５は、ＩＥＥＥ  ８０２．１５．３でのＰＮＣモジュールで具現される。
【００６１】
機器情報収集部３９５は、無線ネットワークに含まれた機器がネットワークに参与するとき、前記機器から可用能力情報を収集していて、無線ネットワークの他の機器にそれを周期的にまたは要請に応じて提供する。
【００６２】
送受信部３５０は、ネットワーク調整子３００が有する可用能力情報を提供されたソース機器１００から前記ＡＶストリームを受信する。
【００６３】
バッファ３９０は、前記受信されたＡＶストリームを一時保存していてメディア再生部３８０に提供する。
【００６４】
メディア再生部３８０は、時間情報読み取り部３６０により読み取られたＰＣＲによってシステム時間クロックを随時補正する。また、メディア再生部３８０は、ビデオストリームまたはオーディオストリームを再生するために、ＭＰＥＧ−１，ＭＰＥＧ−２，ＭＰＥＧ−４，Ｈ．２６４，ＷＭＶなどのビデオコデックまたはＭＰ３，ＡＣ３，ＷＭＡなどのオーディオコデックを備える。
【００６５】
メディア再生部３８０から出力される信号は、映像出力部３８１に入力されるビデオ信号、及び音響再伝送部３７０に入力されるオーディオ信号である。
【００６６】
映像出力部３８１は、視覚的ディスプレイ装置であって、前記ビデオ信号をユーザーに視覚的に表示する。一方、音響再伝送部３７０は、前記オーディオ信号を、ケーブルを通じて再伝送する。例えば、音響再伝送部３７０は、外部音響端子であり、前記再伝送されるオーディオストリームは、アナログ信号でありうる。
【００６７】
以上、図７ないし図９の各構成要素は、メモリ上の所定の領域で行われるタスク、クラス、サブルーチン、プロセス、オブジェクト、実行スレッド、プログラムのようなソフトウェアや、ＦＰＧＡ（Ｆｉｅｌｄ−Ｐｒｏｇｒａｍｍａｂｌｅ  Ｇａｔｅ  Ａｒｒａｙ）やＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）のようなハードウェアで具現でき、また、前記ソフトウェア及びハードウェアの組み合わせからなることもある。前記構成要素は、コンピュータで読み取り可能な記録媒体に含まれることもあり、複数のコンピュータにその一部が分散されて分布されることもある。
【００６８】
以上、添付された図面を参照して本発明の実施形態を説明したが、当業者は、本発明がその技術的思想や必須的な特徴を変更せずに他の具体的な形態に実施可能であるということを理解できるであろう。したがって、前述した実施形態は、あらゆる面で例示的なものであり、限定的ではないと理解せねばならない。
【産業上の利用可能性】
【００６９】
本発明によれば、大容量のマルチメディアデータをユーザーの要求事項に合わせて伝送することによって、ネットワークの使用効率を向上させることができる。
【図面の簡単な説明】
【００７０】
【図１】ＩＥＥＥ  ８０２．１１系の標準とｍｍＷａｖｅとの周波数帯域を比較する図である。
【図２】従来の無線ホームネットワークでソース機器とシンク機器との間にマルチメディアストリームを伝送する方式を示す図である。
【図３】本発明の一実施形態による大容量のマルチメディア伝送システムの概念図である。
【図４】無線機器が他の無線機器に機器情報を伝達する過程を示す図である。
【図５】本発明の他の実施形態による大容量のマルチメディア伝送システムの概念図である。
【図６】本発明の一実施形態によってソース機器がストリームを伝送するとき、シンクを合わせるために前記ストリームに付加される情報を示す図である。
【図７】本発明の一実施形態によるソース機器の構成を示す図である。
【図８】本発明の一実施形態によるシンク機器の構成を示す図である。
【図９】本発明の一実施形態によるネットワーク調整子の構成を示す図である。
【図１】
2009540425.tif 000003
【図２】
2009540425.tif 000004
【図３】
2009540425.tif 000005
【図４】
2009540425.tif 000006
【図５】
2009540425.tif 000007
【図６】
2009540425.tif 000008
【図７】
2009540425.tif 000009
【図８】
2009540425.tif 000010
【図９】
2009540425.tif 000011
【国際調査報告】
2009540425.tif 000012
2009540425.tif 000013